(57)【要約】【課題】  締付けビスなどの余分な部品を追加することなく、ディスク装置の動作に伴う振動の影響でシールドケースが自励振動を起こすことを抑制する。【解決手段】  ボトムケース２０とトップケース３０とを有する。トップケース３０が背板３３を有する。トップケース３０をボトムケース２０に合わせることによって、ボトムケース２０の立上り片２２にトップケース３０の背板３３が重なり合って、その背板３３が立上り片２２と立上り片２２に設けたフック片２５との相互間隙間Ｓに差し込まれる。背板３３に内向きの突起６１，６２を設けておくことにより、その突起６１，６２が立上り片２２を押圧して背板３３をフック片２５に押し付けさせる。【選択図】        図５
2009266272.tif 000002
【特許請求の範囲】
【請求項１】
ディスク装置が取り付けられる底板とその底板の後端縁に曲成された立上り片とを有する板金製のボトムケースと、このボトムケースに取り付けられた上記ディスク装置を覆う板金製のトップケースとを合わせることによって箱形に形作られ、上記トップケースが、天板とその天板の左右幅方向の両側端縁に曲成された側板と上記天板の後端縁に曲成された背板を有し、トップケースをボトムケースに合わせることによって、ボトムケースの上記立上り片の外面側に重なり状に配備されるトップケースの上記背板が、上記立上り片に形成されている上向きフック片と当該立上り片との相互間隙間に差し込まれるように構成されていると共に、上記トップケースがボトムケースの底板の左右幅方向両側に張り出して形成された取付け片部にビス止め結合されるように構成されているディスク装置のシールドケースにおいて、
上記立上り片又は上記背板のうちの一方側部材に、トップケースをボトムケースに合わせたときに他方側部材をその一方側部材から離れる方向に押圧して上記背板を上記フック片に押し付けさせることにより、上記背板を上記立上り片と上記フック片との間で弾圧挟持させる突起が設けられていることを特徴とするディスク装置のシールドケース。
【請求項２】
上記突起が、上記一方側部材に、上記他方側部材側へ突き出す状態に切起し形成されている請求項１に記載したディスク装置のシールドケース。
【請求項３】
上記突起は、その根元を始点とする上り勾配の傾斜ガイド部を有し、トップケースをボトムケースに合わせる組立工程で、他方側部材が上記傾斜ガイド部を摺動して当該突起の頂部に乗り上がる形態に形成されている請求項１又は請求項２に記載したディスク装置のシールドケース。
【請求項４】
上記フック片が上記立上り片の左右２箇所の対称位置に形成されていて、上記突起が、それらの各フック片のそれぞれの形成箇所の左右方向外側位置で他方側部材を押圧する位置に形成されている請求項１ないし請求項３のいずれか１項に記載したディスク装置のシールドケース。
【請求項５】
上記フック片が上記立上り片の左右２箇所の対称位置に形成されていて、上記突起が、それらの各フック片のそれぞれの形成箇所の左右方向外側位置で他方側部材を押圧する位置と、それらの各フック片の形成箇所の左右方向中間位置で他方側部材を押圧する位置とに形成されている請求項１ないし請求項３のいずれか１項に記載したディスク装置のシールドケース。
【請求項６】
突起の形成されている上記一方側部材が、トップケースの上記背板である請求項１ないし請求項５のいずれか１項に記載したディスク装置のシールドケース。
【発明の詳細な説明】
【技術分野】
【０００１】
本発明は、ディスク装置のシールドケース、特に、ディスク装置の動作中に、自励振動によるビビリが生じることを抑制するための対策を講じたディスク装置のシールドケースに関する。
【背景技術】
【０００２】
ベースカバーとそのベースカバーに取り付けられたトップカバーとによって記録媒体駆動装置のドライバを取り囲むことによって電磁波を遮蔽して電磁波の外部への輻射を抑制することが従来より公知である（たとえば、特許文献１参照）。
【特許文献１】特開平５−１０９２５９号公報  一方、ディスク装置のシールドケースの従来例として、図６〜図８に示したものが知られている。図６はシャーシ５０に取り付けられたシールドケース１０を一部破断して示した背面図である。また、図７はそのシールドケース１０のトップケース３０の要部の概略斜視図、図８は図６のＶＩＩＩ−ＶＩＩＩ線に沿う部分の概略断面図である。
【０００３】
このシールドケース１０は、板金製のボトムケース２０と同じく板金製のトップケース３０とを合わせることによって箱形に形作られている。図６又は図８のように、ボトムケース２０は、底板２１と、その底板２１の後端縁に曲成された背低の立上り片２２と、底板２１の左右幅方向両側に張り出して形成された左右の取付け片部２３とを有して、底板２１には図示していないディスク装置が取り付けられるようになっている。これに対し、トップケース３０は、天板３１と、天板３１の左右幅方向の両端縁に曲成された左右の側板３２と、天板３１の後端縁に曲成された背板３３とを有している。そして、図７のように、背板３３の左右の各端縁は、側板３２の後端縁に直角方向又は略直角方向に突き合わされていると共に、側板３２の後端縁に曲成された板片状のブラケット３４の外面に背板３３の左右幅方向の端部が外側から重なり合っている。側板３２の後端縁にブラケット３４を曲成しておくことは、側板３２と背板３３との突合せ箇所ａの隙間を塞いでシールド性能を高めることに役立っている。そして、このトップケース３０をボトムケース２０に合わせると、ボトムケース２０の底板２１に取り付けられている上記ディスク装置がそのボトムケース２０とトップケース３０とによって覆われて、ディスク装置からの電磁波の不要輻射が遮蔽されるようになる。また、トップケース３０の左右の側板３２の下端縁にフランジ３５が曲成されていて、このフランジ３５がボトムケース２０の取付け片部２３にビス止めされるようになっている。なお、図６のように、ビス止め箇所では、取付け片部２３とフランジ３５との各ビス挿通孔２４，３６に挿通された取付けビス４０が、シャーシ５０のねじ孔５１にねじ込まれている。
【０００４】
上記構成のシールドケース１０では、ディスク装置の動作に伴う振動が伝達されて自励振動を起こして所謂ビビリを生じることがある。
【０００５】
そこで、そのようなビビリを抑制するための対策として次の手段が考えられた。すなわち、図６又は図８に示したように、ボトムケース２０の立上り片２２の左右２箇所の対称位置を切り欠いて、それらの切欠き箇所に上向きにフック片２５を切起し形成する一方で、トップケース３０の背板３３の下端部の左右２箇所の対称位置を切り欠いて凹入部３７を形成した。そして、トップケース３０をボトムケース２０に合わせることによって、ボトムケース２０の立上り片２２の外面側にトップケース３０の背板３３が重なり状に配備されて上記したフック片２５と立上り片２２との相互間隙間Ｓに差し込まれるように構成した。
【０００６】
しかしながら、この手段では、上記したビビリを満足のいく程度に抑制することが困難であることが判明し、次善の策として、上記した手段に追加して次の手段を試みた。
【０００７】
すなわち、図７のようにトップケース３０の背板３３とブラケット３４とにビス挿通孔３８を形成すると共に、ボトムケース２０の立上り片２２にねじ孔（不図示）を形成した。そして、図６のように、上記ビス挿通孔３８に挿通させた締付けビス３９（図６又は図７参照）を上記立上り片２２のねじ孔にねじ込んで締め付けた。この手段によると、図７に示したトップケース３０の背板３３と側板３２との突合せ箇所ａのビビリが十分に抑制されることが判明した。
【発明の開示】
【発明が解決しようとする課題】
【０００８】
しかしながら、締付けビス３９を用いる上記手段によると、２本の締付けビス３９でトップケース３０の背板３３とボトムケース２０の立上り片２２とを２箇所で締め付ける作業が必要になるために、締付けビス３９や締付けビス３９を締め付ける作業が余分に必要になってそれだけ作業工程が煩雑になり、コスト高にもつながるという問題が生じた。また、トップケース３０の背板３３がボトムケース２０の立上り片２２に締め付けられるために、フック片２５と上記背板３３との間に隙間が生じやすくなり、その隙間が形成されている箇所ではビビリを生じやすくなる傾向が見られた。
【０００９】
本発明は以上の問題や状況に鑑みてなされたものであり、図６などに示した締付けビス３９を省略することができ、しかも、それ以外の余分な部品を追加する必要がないにもかかわらず、フック片２５が有効活用されて、ディスク装置の動作に伴う振動の影響でシールドケースが自励振動を起こすことを十分に抑制することが可能なディスク装置のシールドケースを提供することを目的とする。
【課題を解決するための手段】
【００１０】
本発明に係るディスク装置のシールドケースは、ディスク装置が取り付けられる底板とその底板の後端縁に曲成された立上り片とを有する板金製のボトムケースと、このボトムケースに取り付けられた上記ディスク装置を覆う板金製のトップケースとを合わせることによって箱形に形作られ、上記トップケースが、天板とその天板の左右幅方向の両側端縁に曲成された側板と上記天板の後端縁に曲成された背板を有し、トップケースをボトムケースに合わせることによって、ボトムケースの上記立上り片の外面側に重なり状に配備されるトップケースの上記背板が、上記立上り片に形成されている上向きフック片と当該立上り片との相互間隙間に差し込まれるように構成されていると共に、上記トップケースがボトムケースの底板の左右幅方向両側に張り出して形成された取付け片部にビス止め結合されるように構成されている。
【００１１】
そして、上記立上り片又は上記背板のうちの一方側部材に、トップケースをボトムケースに合わせたときに他方側部材をその一方側部材から離れる方向に押圧して上記背板を上記フック片に押し付けさせることにより、上記背板を上記立上り片と上記フック片との間で弾圧挟持させる突起が設けられている。
【００１２】
この発明において、一方側部材にトップケースの背板を選択した場合には、トップケースの背板とその背板に設けられている突起とが、ボトムケースの立上り片又はフック片を弾性変形させた状態でそれらの間に割り込む状態が作り出される。そのため、トップケースの背板が振動してビビリを生じるのに必要な隙間が存在しなくなり、シールドケースの自励振動が抑制されて上記ビビリも抑制されるようになる。また、一方側部材にボトムケースの立上り片を選択した場合でも、トップケースの背板が、突起を有するボトムケースの立上り片又はフック片を弾性変形させた状態でそれらの間に割り込む状態が作り出される。そのため、トップケースの背板が振動してビビリを生じるのに必要な隙間が存在しなくなり、シールドケースの自励振動が抑制されて上記ビビリも抑制されるようになる。
【００１３】
本発明では、上記突起が、上記一方側部材に、上記他方側部材側へ突き出す状態に切起し形成されている、という構成を採用することが可能である。
【００１４】
本発明において、上記突起は、その根元を始点とする上り勾配の傾斜ガイド部を有し、トップケースをボトムケースに合わせる組立工程で、他方側部材が上記傾斜ガイド部を摺動して当該突起の頂部に乗り上がる形態に形成されていることが望ましい。この構成であると、トップケースをボトムケースに合わせる組立工程で、突起が他方側部材に突き当たって組立のじゃまになるという事態がなくなる。そのため、トップケースをボトムケースに合わせる組立工程を円滑に行うことができるようになる。
【００１５】
本発明では、上記フック片が上記立上り片の左右２箇所の対称位置に形成されていて、上記突起が、それらの各フック片のそれぞれの形成箇所の左右方向外側位置で他方側部材を押圧する位置に形成されている、という構成を採用することが可能である。この構成であると、主に、トップケースの背板とボトムケースの立上り片との突合せ箇所でのビビリを効果的に抑制することができる。
【００１６】
本発明では、上記フック片が上記立上り片の左右２箇所の対称位置に形成されていて、上記突起が、それらの各フック片のそれぞれの形成箇所の左右方向外側位置で他方側部材を押圧する位置と、それらの各フック片の形成箇所の左右方向中間位置で他方側部材を押圧する位置とに形成されている、という構成を採用することも可能である。この構成であると、上記したところと同様にトップケースの背板とボトムケースの立上り片との突合せ箇所でのビビリを効果的に抑制することができるだけでなく、立上り片とフック片との間の相互間隙間に差し込まれている箇所で背板が振動しにくくなるために、背板とフック片及び立上り片との対向箇所でのビビリが効果的に抑制される。
【００１７】
本発明では、突起の形成されている上記一方側部材が、トップケースの上記背板である、という構成を採用することが可能である。
【発明の効果】
【００１８】
以上のように、本発明によれば、図６などに示した締付けビス３９を用いたりその他の余分な部品を追加したりしなくても、フック片が有効活用されて、ディスク装置の動作に伴う振動の影響でシールドケースが自励振動を起こすことに起因するビビリを抑制することが可能になる。そのため、締付けビスや締付けビスを締め付ける作業を余分に行う必要がなくなってそれだけ作業工程が簡素化されるにもかかわらず、ビビリを生じにくいシールドケースを得ることが可能になる。その上、背板が立上り片とフック片との間で弾圧挟持されるようになるという構成を採用してビビリを抑制してあるために、仮に立上り片とフック片との間隔にばらつきがあっても、そのばらつきが吸収されて有効なビビリ抑制作用が発揮されるという利点もある。
【発明を実施するための最良の形態】
【００１９】
図１は本発明の実施形態に係るシールドケース１０とディスク装置１００とを概略で示した分解斜視図である。また、図２はトップケース３０の要部の概略斜視図、図３は突起６１，６２の形状の具体例を示した概略斜視図、図４はシャーシ５０に取り付けられたシールドケース１０を一部破断して示した背面図、図５は図４のＩＶ−ＩＶ線に沿う部分の概略断面図である。
【００２０】
図１によって類推することができるように、シールドケース１０は、板金製のボトムケース２０と同じく板金製のトップケース３０とを合わせることによって箱形に形作られる。
【００２１】
ボトムケース２０は、底板２１と、その底板２１の後端縁に曲成された背低の立上り片２２と、底板２１の左右幅方向両側に張り出して形成された左右の取付け片部２３とを有している。そして、この底板２１にディスク装置１００が取り付けられるようになっている。これに対し、トップケース３０は、天板３１と、天板３１の左右幅方向の両端縁に曲成された左右の側板３２と、天板３１の後端縁に曲成された背板３３（図２、図４、図５参照）とを有している。そして、図２又は図４のように、背板３３の左右の各端縁は、側板３２の後端縁に直角方向又は略直角方向に突き合わされていると共に、側板３２の後端縁に曲成された板片状のブラケット３４の外面に背板３３の左右幅方向の端部が外側から重なり合っている。このように側板３２の後端縁にブラケット３４を曲成しておくことは、側板３２と背板３３との突合せ箇所ａの隙間を塞いでシールド性能を高めることに役立っている。
【００２２】
トップケース３０をボトムケース２０に合わせると、ボトムケース２０の底板２１に取り付けられているディスク装置１００がそのボトムケース２０とトップケース３０とによって覆われて、ディスク装置１００からの電磁波の不要輻射が遮蔽されるようになる。また、トップケース３０の左右の側板３２の下端縁にフランジ３５が曲成されていて、このフランジ３５がボトムケース２０の取付け片部２３にビス止めされるようになっている。図４のように、ビス止め箇所では、取付け片部２３とフランジ３５との各ビス挿通孔２４，３６に挿通された取付けビス４０が、シャーシ５０のねじ孔５１にねじ込まれている。
【００２３】
また、図１、図２、図４又は図５に示したように、ボトムケース２０の立上り片２２の左右２箇所の対称位置を切り欠いて、それらの切欠き箇所に上向きにフック片２５を切起し形成してある。これに対し、トップケース３０の背板３３の下端部の左右２箇所の対称位置を切り欠いて凹入部３７を形成してある。そして、トップケース３０をボトムケース２０に合わせることによって、ボトムケース２０の立上り片２２の外面側にトップケース３０の背板３３が重なり状に配備されて上記したフック片２５と立上り片２２との相互間隙間Ｓに差し込まれるように構成してある。
【００２４】
以上説明した構成は、図６〜図８に示した従来例と略同様であって、従来例と相違する点は、背板３３やブラケット３４にビス挿通孔３８が形成されていない点である。
【００２５】
この実施形態において、トップケース３０の背板３３には、その左右幅方向の中央部と同方向の両端部の近傍箇所の２箇所に突起６１，６２，６２が内向きに突き出されている。そして、図４又は図５のように、トップケース３０をボトムケース２０に合わせて箱形を形作ったときに、それらの突起６１，６２，６２がボトムケース２０の立上り片２２を３箇所でトップケース３０の背板３３からから離れる方向に図５矢印Ｆ１のように押圧して、その背板３３をフック片に同図矢印Ｆ２のように押し付けさせるように構成されている。このため、トップケース３０をボトムケース２０に合わせて箱形を形作ったときには、図５のようにボトムケース２０の立上り片２２又はフック片２５を弾性変形させた状態でそれらの間に背板３３及び突起６１，６２，６２が割り込んで、背板３３が立上り片２２とフック片２５との間で弾圧挟持されるようになる。したがって、トップケース３０の背板３３が振動してビビリを生じるのに必要な隙間が存在しなくなり、シールドケース１０の自励振動が抑制されて上記ビビリも抑制されるようになる。
【００２６】
この実施形態では、図４によって判るように、３箇所の突起６１，６２，６２のうち、背板３３の左右幅方向の両端部の近傍箇所の２箇所に形成されている突起６２，６２は、ボトムケース２０の立上り片２２側の左右のフック片２５の形成箇所の左右方向外側位置で、背板３３の左右２箇所に対称に位置している。したがって、これらの突起６２，６２の形成箇所が背板３３と側板３２との突合せ箇所ａの近くに位置するようになり、その結果、背板３３と側板３２との突合せ箇所ａで背板３３が振動してビビリを起こすことを有効に抑制することに役立つ。また、中央部の突起６１は、ボトムケース２０の立上り片２２側の２箇所のフック片２５，２５の形成箇所の左右方向中間に位置している。そのため、立上り片２２とフック片２５との間の相互間隙間に差し込まれている箇所で背板３３が振動しにくくなり、背板３３とフック片２５及び立上り片２２との対向箇所でのビビリも有効に抑制される。また、上記した３箇所に突起６１，６２，６２を設けておくことにより、１つのフック片２５の形成箇所の両側に突起６１，６２が位置するようになるために、それら３箇所の突起６１，６２，６２の共働作用によって背板３３の振動が抑制されてビビリが生じにくくなる。その上、上記のように、背板３３が立上り片２２とフック片２５との間で弾圧挟持されるようになるという構成を採用してビビリを抑制してあるために、仮に立上り片２２とフック片２５との間隔にばらつきがあっても、そのばらつきが吸収されて有効なビビリ抑制作用が発揮される。
【００２７】
この実施形態において、突起６１，６２は、図３のように、背板３３を内向きに切り起こすことによって正面視で倒立三角形状に形成されていて、その稜線が、当該突起６１，６２の根元の下端（符号Ｂで示してある）を始点とする上り勾配の傾斜ガイド部６５として形成されている。突起６１，６２をこの形状に形成しておくと、トップケース３０をボトムケース２０に合わせる組立工程で、ボトムケース２０の立上り片２２が、突起６１，６２の傾斜ガイド部６５を摺動して当該突起６１，６２の頂部６６に無理なく乗り上がる。このため、トップケース３０をボトムケース２０に合わせる組立工程で、突起６１，６２が立上り片２２に突き当たって組立のじゃまになるという事態が生じなくなる。
【００２８】
上記した実施形態では、突起６１，６２をトップケース３０の背板３３に形成した事例を説明したけれども、この点は、突起をボトムケースの立上り片に形成しておいても同様の作用が発揮される。
【００２９】
なお、図１〜図８では同一又は相応する要素に同一の符号を付してある。
【図面の簡単な説明】
【００３０】
【図１】本発明の実施形態に係るシールドケースとディスク装置とを概略で示した分解斜視図である。
【図２】トップケースの要部の概略斜視図である。
【図３】突起の形状の具体例を示した概略斜視図である。
【図４】シャーシに取り付けられたシールドケースを一部破断して示した背面図である。
【図５】図４のＩＶ−ＩＶ線に沿う部分の概略断面図である。
【図６】シャーシに取り付けられた従来例に係るシールドケースを一部破断して示した背面図である。
【図７】図６のシールドケースのトップケースの要部の概略斜視図である。
【図８】図６のＶＩＩＩ−ＶＩＩＩ線に沿う部分の概略断面図である。
【符号の説明】
【００３１】
２０  ボトムケース
２１  底板
２２  立上り片
２３  取付け片部
２５  フック片（上向きフック片）
３０  トップケース
３１  天板
３２  側板
３３  背板
６１，６２  突起
６５  傾斜ガイド部
１００  ディスク装置
Ｓ  フック片と立上り片との相互間隙間
【図１】
2009266272.tif 000003
【図２】
2009266272.tif 000004
【図３】
2009266272.tif 000005
【図４】
2009266272.tif 000006
【図５】
2009266272.tif 000007
【図６】
2009266272.tif 000008
【図７】
2009266272.tif 000009
【図８】
2009266272.tif 000010